(57)【特許請求の範囲】
【請求項１】
パイプ状をなし先端部のヘッド部にミストシャワー孔を有するとともに、基端部には水栓の蛇口に対して脱着可能に連結される連結部を有する、該連結部の側から前記先端部のヘッド部の側に向って突出し状態に非屈曲形状で直線状に延び、該ヘッド部を片持状態で支持する本体パイプを備えた吐水パイプを、該連結部において該蛇口に取り付けて該蛇口からの水を前記ミストシャワー孔から室内に噴射するようになしてあり、
前記蛇口はカウンターから下向きに突き出す状態で設けてあって、該カウンターよりも下側に前記連結部を位置させる状態で、該蛇口に対して前記吐水パイプを連結することで、該カウンター下からミストシャワーを室内に噴射するようになし、
且つ前記吐水パイプは前記蛇口に対して前記本体パイプを前記直線状に維持しつつ前記連結部において該蛇口の軸心回りに回動可能となして、
前記吐水パイプを該蛇口に連結した状態で前記カウンターの下に収納可能となしてあることを特徴とするミストシャワー装置。
【請求項２】
請求項１において、前記吐水パイプの前記ミストシャワー孔を有する前記ヘッド部が該吐水パイプの軸心回りに回転可能となしてあることを特徴とするミストシャワー装置。
【請求項３】
請求項１，２の何れかにおいて、前記吐水パイプには基端部にストレート吐水を行う吐水口が設けてあるとともに、水の流れを前記ヘッド部側又は該吐水口側に切り替える切替弁が設けてあることを特徴とするミストシャワー装置。
【請求項４】
請求項３において、前記切替弁は前記吐水パイプに内蔵してあることを特徴とするミストシャワー装置。
【請求項５】
請求項３，４の何れかにおいて、前記切替弁は前記吐水パイプ全体の回動により切替動作を行うものとなしてあることを特徴とするミストシャワー装置。
【請求項６】
請求項５において、前記切替弁は固定弁体と可動弁体とを有しており、該可動弁体には該固定弁体の通水孔を前記ヘッド部側に連通させるヘッド部側通水孔と、前記吐水口に連通させる吐水口側通水孔とが設けられていて、該可動弁体が前記吐水パイプの回動と一体に回転することで該可動弁体における前記ヘッド部側通水孔及び吐水口側通水孔が前記固定弁体の通水孔に対して回転方向に位置変化させ、以って水流を前記ヘッド部側又は前記吐水口側に切り替えるものとなしてあることを特徴とするミストシャワー装置。
【発明の詳細な説明】
【０００１】
【発明の属する技術分野】
この発明は多数のミストシャワー孔からミストを噴射するミストシャワー装置に関する。
【０００２】
【従来の技術】
ミストシャワー装置は、ミストによってマイナスイオンを発生して癒し効果，リラクゼーション効果を発揮したり、或いはまたミストの温度設定を高温に設定することで室内をミストサウナ空間とすることができたり、或いはまた冬の寒い日には室内暖房ができるなど様々な効果を発揮する。
【０００３】
この種ミストシャワー装置として、浴室に設置された水栓の本体から延び出した可撓性のシャワーホースの先端に多数のミストシャワー孔を有するシャワーヘッドを接続して浴室の上部に位置させ、そこからミストシャワーを浴室内に噴射するようになしたものや、或いはミストシャワー専用に構成した単体のミストシャワー装置ユニットを浴室に設置し、ミストシャワーを浴室内に噴射するようになしたもの等が知られている。
【０００４】
【発明が解決しようとする課題】
しかしながら前者の場合、シャワーヘッドのミストシャワー孔からミストシャワーを噴射するためにシャワーヘッドに水流を導くと、可撓性のシャワーホースの内圧が高くなってシャワーホースが曲り難くなり、通常の状態ではシャワーフックに掛止状態に静止できていたシャワーヘッドが、その高まった内圧によりシャワーフックから飛び出してしまうといった不都合が生じていた。
【０００５】
またこの場合ミストシャワーが室の上部から噴射されるために、シャワーヘッドから高温のミストを噴射して室内暖房を行おうとしたとき、或いは浴室をミストサウナ空間として利用しようとしたとき、ミストシャワー孔から噴射された高温のミストが室内の上部にだけ漂ってしまい、室内全体にミストを漂わせることができないといった問題があった。
【０００６】
またシャワーヘッドより室の上部からミストシャワーを室内に噴射するようになした場合、室内暖房のために高温のミストを噴射した後において通常のシャワー水をシャワーヘッドから噴射してシャワーを浴びようとしたとき、そこに残っていた湯が高温のシャワー水として出てしまって、人体に当るといった恐れがあった。
【０００７】
また後者の専用のミストシャワー装置ユニットを用いる場合においても同様の問題があり、加えてこの専用のミストシャワー装置ユニットを用いる場合、通常の水栓設備とは別途に専用のミストシャワー装置ユニットが必要であってコストが高くなり、また室内のスペースがそのミストシャワー装置ユニットによって狭められてしまうといった問題があった。
【０００８】
【課題を解決するための手段】
本発明のミストシャワー装置はこのような課題を解決するために案出されたものである。
而して請求項１のものは、パイプ状をなし先端部のヘッド部にミストシャワー孔を有するとともに、基端部には水栓の蛇口に対して脱着可能に連結される連結部を有する、該連結部の側から前記先端部のヘッド部の側に向って突出し状態に非屈曲形状で直線状に延び、該ヘッド部を片持状態で支持する本体パイプを備えた吐水パイプを、該連結部において該蛇口に取り付けて該蛇口からの水を前記ミストシャワー孔から室内に噴射するようになしてあり、前記蛇口はカウンターから下向きに突き出す状態で設けてあって、該カウンターよりも下側に前記連結部を位置させる状態で、該蛇口に対して前記吐水パイプを連結することで、該カウンター下からミストシャワーを室内に噴射するようになし、且つ前記吐水パイプは前記蛇口に対して前記本体パイプを前記直線状に維持しつつ前記連結部において該蛇口の軸心回りに回動可能となして、前記吐水パイプを該蛇口に連結した状態で前記カウンターの下に収納可能となしてあることを特徴とする。
【０００９】
請求項２のものは、請求項１において、前記吐水パイプの前記ミストシャワー孔を有する前記ヘッド部が該吐水パイプの軸心回りに回転可能となしてあることを特徴とする。
【００１０】
請求項３のものは、請求項１，２の何れかにおいて、前記吐水パイプには基端部にストレート吐水を行う吐水口が設けてあるとともに、水の流れを前記ヘッド部側又は該吐水口側に切り替える切替弁が設けてあることを特徴とする。
【００１１】
請求項４のものは、請求項３において、前記切替弁は前記吐水パイプに内蔵してあることを特徴とする。
【００１２】
請求項５のものは、請求項３，４の何れかにおいて、前記切替弁は前記吐水パイプ全体の回動により切替動作を行うものとなしてあることを特徴とする。
【００１３】
請求項６のものは、請求項５において、前記切替弁は固定弁体と可動弁体とを有しており、該可動弁体には該固定弁体の通水孔を前記ヘッド部側に連通させるヘッド部側通水孔と、前記吐水口に連通させる吐水口側通水孔とが設けられていて、該可動弁体が前記吐水パイプの回動と一体に回転することで該可動弁体における前記ヘッド部側通水孔及び吐水口側通水孔が前記固定弁体の通水孔に対して回転方向に位置変化させ、以って水流を前記ヘッド部側又は前記吐水口側に切り替えるものとなしてあることを特徴とする。
【００１４】
【作用及び発明の効果】
上記のように請求項１のものは、先端部にミストシャワー孔を有するヘッド部を、また基端部に連結部を有する吐水パイプを、その連結部において蛇口に取り付け、蛇口からの水をミストシャワー孔から室内に噴射させるようになしたもので、本発明によれば単に吐水パイプを蛇口に取り付けるだけで室内にミストシャワーを噴射することができる。
【００１５】
従って本発明によれば、ミストシャワー専用のミストシャワー装置ユニットを室内に設置する場合のようにコストが高くなるといった問題を生じず、また室の上部のシャワーヘッドから多数のミストシャワー孔を通じてミストシャワーを噴射する場合のようにシャワーホースの内圧によって可撓性のシャワーホースが曲り難くなり、またシャワーフックに掛止してあるシャワーヘッドがその内圧の高まりによってシャワーフックから飛び出してしまうといった問題も生じない。
【００１６】
またこの請求項１によれば水栓に従来備わっている蛇口に対して単に吐水パイプを連結するだけでミストシャワー装置を構成し、室内にミストシャワーを噴射することができる。
即ち予め専用のミストシャワー装置ユニットを備え付けておかなくても、単に吐水パイプを蛇口に連結するだけでそこにミストシャワーの噴射機能を持たせることができる。
また必要でない場合にはその吐水パイプを蛇口から外すことによって、その蛇口を通常の水栓の蛇口として使用することができる。
【００１７】
この請求項１では、上記吐水パイプの全体を蛇口に対してその軸心回りに回動可能となしてあり、このようにすれば蛇口の軸心回りにミストシャワーの噴射位置を変化させることができる。
【００１８】
請求項１のものはまた、カウンターから下向きに突き出す蛇口に対し吐水パイプを連結することで、そのカウンター下からミストシャワーを室内に噴射するようになしてある。
通常カウンターは浴室等の室内の下部に設けて有り、従ってこのようにすることで、ミストシャワーを室内の下方から上方に向けて噴射することが可能である。
【００１９】
特にミストシャワー孔から浴室等の室内暖房のため、或いは浴室をミストサウナ空間として利用するため、ミストシャワー孔から高温のミストシャワーを噴射するようになした場合、噴射されたミストが従来と異なり浴室等の室内の上部のみならず下部にも万遍なく漂う状態となり、室内暖房を効率的に行うことができる。或いは室内全体をミストが万遍なく漂ったミストサウナ空間となすことができる。
【００２０】
またこの請求項１によれば、ミストシャワー孔から高温のミストシャワーを噴射して室内暖房を行った後、吐水パイプを蛇口から取り外して蛇口を本来の蛇口として使用する際、即ち蛇口から水を吐水する際、たまたま残っていた高温の水が蛇口から吐水されたとしても、それが直接人体に当ってしまう危険が無く、安全である利点も得られる。
【００２１】
請求項１のものでは、ミストシャワーを噴射しないとき、吐水パイプを回動させることによりカウンター下に収納可能となしておくことができる。
このようにすれば、吐水パイプを使用しないときにこれが室内に突き出した状態となって邪魔になるといった問題を回避することができる。
【００２２】
本発明においては、吐水パイプを通じて送られて来た水を加速してミストシャワー孔に供給する水流加速機構をヘッド部に内蔵しておくことができる。
このようにすることで水流を効率高くミストと成して各ミストシャワー孔から噴射することができる。
【００２３】
ここにおいて水流加速機構は各ミストシャワー孔に対応して設けた、水流を旋回運動させる螺旋溝となしておくことができる。
またこの場合においてこの螺旋溝は二重螺旋溝と成しておくことができる。
【００２４】
一重の螺旋溝となした場合、水流を効果的に加速した上でミストシャワー孔から噴射するためには、そのリード角をある程度大きく取らざるを得ない。
しかしながらそのようにすると螺旋溝のピッチが大きくなってしまい、小さいピッチで螺旋溝を形成することが難しくなる。
しかるに螺旋溝を二重螺旋溝となした場合、リード角を大きく取りながら、即ち水流に対する加速機構を高めながらなお且つ螺旋溝と螺旋溝との間のピッチを小さく取ることができ、多くの水を同時に旋回運動させながらミストシャワー孔に導くことができる。
【００２５】
本発明においては、上記ヘッド部に水道水中の塩素分を除去する塩素除去カートリッジを内蔵しておくことができる。
例えば浴室内においてミストシャワー孔からミストシャワーを噴射し浴室内に漂わせた場合、水道水中には塩素分が含まれていることから浴室内にカルキ臭が漂った状態となる。
しかるにヘッド部に塩素除去カートリッジを内蔵しておいて、水道水中の塩素分を除去した上でミストシャワー孔から噴射するようになした場合、そうした不都合を解決することができる。
【００２６】
更にまた浴室等においてミストシャワー孔から噴射したミストを顔面に当てるように使用する場合、即ち洗願等に使うような場合、水道水中の塩素分を除去することによって肌に優しいミストとしてこれを噴射することができる。
【００２７】
本発明においては上記連結部をカプラーにて構成しておくことができる。
このようにすることで吐水パイプを極めて簡単に水栓の蛇口に対して脱着することができる。
【００２８】
請求項２のものは、ヘッド部を吐水パイプの軸心に対して回転可能となしたもので、このようになした場合、ミストシャワーの噴射位置を吐水パイプの軸心回りに変化させ得るとともに、その噴射の向きを様々に変化させることができる。
例えば上向きから下向き，横向き，斜め向き等にミストシャワーの噴射の向きを様々に変化させることができる。
【００２９】
このようにすればミストシャワー孔、即ちミストシャワーの噴射位置のみならず噴射の向きを様々に変化させることができ、望みの位置から且つ望みの方向にミストシャワーを噴射することが可能となる。
【００３０】
次に請求項３のものは、吐水パイプを、先端部にミストシャワー孔を有するヘッド部を、基端部にはストレート吐水を行う吐水口を有するものとして構成するとともに、水の流れをそのヘッド部側又は吐水口側に切り替える切替弁を設けたもので、このようにした場合、切替弁の切替えによってミストシャワーを噴射したり、吐水口からストレート吐水を行ったりすることができる。
このようにすれば、敢えて蛇口に対し吐水パイプを脱着しなくてもミストシャワーを噴射したり、ストレート吐水を行ったりすることができる。
【００３１】
この場合において、上記切替弁は吐水パイプに内蔵しておくことができる（請求項４）。
このようにした場合、切替弁が外部に露出することによって美観が損なわれるのを防止することができるとともに、吐水パイプ周りの外観をすっきりとしたものとすることができる。
【００３２】
またこれらの場合においてその切替弁は、吐水パイプ全体の回動により切替動作を行うものとなしておくことができる（請求項５）。
このようになした場合、ミストシャワーを使用しないときにはこれを引込み側に回動操作するだけで、自動的に水流を吐水口側に切り替えることができる。
【００３３】
この場合においてその切替弁は、固定弁体と可動弁体とを有し、その可動弁体が吐水パイプとともに回転運動することで水流をヘッド部側に又は吐水口側に切り替えるものとなしておくことができる（請求項６）。
【００３４】
【実施例】
次に本発明の実施例を図面に基づいて詳しく説明する。
図１において、１０は浴室内に設置されたカウンターで、このカウンター１０には水と湯とを混合する混合部１２と、整流吐水且つストレート吐水を行う蛇口１４と、シャワー吐水を行うシャワーヘッド１６とが設けられている。
ここで混合部１２とシャワーヘッド１６とはカウンター１０の奥部且つ傾斜面１８に設けられている。
一方蛇口１４はカウンター１０の前端部に下向きに突出する状態で設けられている。
【００３５】
ここで混合部１２と蛇口１４とは金属配管２０で連絡されており、また混合部１２とシャワーヘッド１６とは可撓性のホース２２にて連絡されている。
尚、シャワーヘッド１６はストレート吐水（整流吐水）及びシャワー吐水の何れも可能なものとされており、それらストレート吐水,シャワー吐水を切り替えるための切替操作部２４が設けられている。
この例では、混合部１２からの水が金属配管２０を通じて蛇口１４に導かれ、或いはまたホース２２を通じてシャワーヘッド１６へと導かれる。
【００３６】
図２に示しているように、混合部１２には水，湯の供給管２６が接続されており、それら供給管２６を通じて送られて来た水と湯とがここで混合される。
この混合部１２には、水と湯との混合比率を調節する温調ハンドル２８がカウンター１０の上に露出する状態で回転可能に設けられている。
尚、図２において３０は継手管である。
【００３７】
図３に蛇口１４及びその周辺部の構造が具体的に示してある。
同図において３２はハンドル３４の回転操作によって蛇口１４からの吐止水及び吐水の水量調節を行う弁で、ボデー３６の内部に組み込まれている。
この例において弁３２はシリンダ式の弁であって、円筒状をなす弁体３８と、弁体３８に水密に外嵌する弁ケーシング４０とを有している。
【００３８】
弁体３８及び弁ケーシング４０にはそれぞれ通水用の開口４２,４２及び開口４４，４４が設けられており、また弁体３８には上記ハンドル３４が一体回転状態に連結されている。
この弁３２は、ハンドル３４の回転操作によって弁体３８が回転し、その弁体３８の開口４２，４２と弁ケーシング４０の開口４４，４４とが完全一致することで、蛇口１４から最大吐水量で吐水が行われ、また開口４２，４２と開口４４，４４とが完全不一致となることによって止水が行われる。
また開口４２と開口４４との重なり面積が変化することで蛇口１４からの吐水の水量調節が行われる。
【００３９】
図４において、４６は蛇口１４からの水をミストシャワーとして噴射する機能を有する吐水パイプで、本体パイプ４８の先端部に多数のミストシャワー孔５０を有するヘッド部５２が設けられている。
また基端部には吐水パイプ４６を蛇口１４に対して脱着可能に連結するための連結部５４が設けられている。
尚、ヘッド部５２は本体パイプ４８に対しその軸心回りに回転可能とされている。
【００４０】
この例において、ヘッド部５２には蛇口１４からの水を整流束でストレート吐水するストレート吐水口５６が設けてあり、これを取り巻くようにして上記ミストシャワー孔５０が多数形成されている。
これらストレート吐水口５６からのストレート吐水とミストシャワー孔５０からのミストシャワー噴射とは、ヘッド部５２に設けられた切替弁５８によって切り替えられる。
【００４１】
切替弁５８は、弁体６０とシーソースイッチ式の切替操作部６２とを有しており、それら弁体６０と切替操作部６２とが作動的に連結されている。
詳しくは、弁体６０には回転運動する軸部６４が一体に設けられており、切替操作部６２が操作されることでその軸部６４を介して弁体６０が軸部６４の軸心回りに回転運動させられ、これによって本体パイプ４８を通じて送られて来た水が、ストレート吐水口５６側に又はミストシャワー孔５０側に切り替えられる。
【００４２】
尚、この例ではミストシャワー孔５０の上流部に塩素除去カートリッジ６６が配設されている。
この塩素除去カートリッジ６６は水道水中の塩素分を除去するもので、本体パイプ４８から送られて来た水はこの塩素除去カートリッジ６６により塩素分が除去された上で各ミストシャワー孔５０からミストシャワーとして浴室内に噴射される。
【００４３】
ヘッド部５２には、ミストシャワー孔５０に隣接した位置に溝形成部材６８が配設されており、この溝形成部材６８が収容室７０内に収容されている。
この溝形成部材６８には、外周面に沿って二重に螺旋突条が設けられている。即ちこの溝形成部材６８の外周面には螺旋突条７２Ａ，７２Ｂが二重螺旋をなすように設けられており、それら螺旋突条７２Ａと７２Ｂとによって、溝形成部材６８の外周面に螺旋溝７４Ａ，７４Ｂが二重螺旋をなす状態で形成されている。
【００４４】
本体パイプ４８を通じて送られて来た水は、これら二重螺旋を成した螺旋溝７４Ａ，７４Ｂによって旋回運動させられ、加速された上でミストシャワー孔５０からミストとして浴室内に噴射される。
【００４５】
吐水パイプ４６の基端部には、本体パイプ４８の軸心に対し直角をなす縦向きの管体７６が設けられており、その管体７６の図中上端部に上記連結部５４が設けられている。ここで連結部５４はカプラーにて構成されている。
即ちこの連結部５４は、半径方向に出入り可能な係止球７８と、係止球７８を蛇口１４の環状溝８０に係止する状態にこれをロックするロックリング８２と、ロックリング８２をそのロック位置に向けて、即ち図中上方に向けて付勢するスプリング８４とを有している。
【００４６】
このカプラーで構成された連結部５４の場合、ロックリング８２をスプリング８４の付勢力に抗して図中下向きに押し下げておいて蛇口１４の下端部に嵌め合せ、その状態でロックリング８２に加えていた解除操作力を除くと、スプリング８４の付勢力でロックリング８２が図中上方に向けて押し上げられ、係止球７８を環状溝８０に係止する状態にロックする。
【００４７】
この管体７６は、軸方向（図中上下方向）の中間部において本体パイプ４８に一体回転状態に連結されており、その本体パイプ４８より図中下側の部分において吐水口８６を構成している。
尚この管体７６は、連結部５４において蛇口１４に連結された状態で本体パイプ４８、即ち吐水パイプ４６と一体に蛇口１４の軸心回りに回転運動する。
【００４８】
管体７６の内側にはスリーブ８８が管体７６に対して相対回転可能な状態で配設されている。
このスリーブ８８の上端部内側には図５に示しているように切欠部９０が設けられており、この切欠部９０が、蛇口１４の下端に突設された一対の位置決突起９２に嵌り合うことで、スリーブ８８が蛇口１４に対して回転方向に位置決めされるようになっている。
即ちスリーブ８８が蛇口１４に対し回転方向に固定されるようになっている。
【００４９】
管体７６と本体パイプ４８との連結部には、蛇口１４からの水をヘッド部５２側に若しくは吐水口８６側に切り替えるための切替弁９４が組み込まれている。
この切替弁９４は、ディスクから成る固定弁体９６と可動弁体９８とを有している。
【００５０】
固定弁体９６には、図５及び図６に示しているように楕円形状の掛止突起１００が設けられていて、この掛止突起１００が、スリーブ８８の対応する楕円形状の掛止凹部１０２に嵌合しており、これによって固定弁体９６がスリーブ８８に対し回転方向に固定とされている。
【００５１】
一方、可動弁体９８の下端部には楕円形状の掛止突起１０４が設けられていて、この掛止突起１０４が、本体パイプ４８と一体回転する管体７６の対応する楕円形状の掛止凹部１０６に嵌合しており、これによって可動弁体９８が管体７６と一体に、即ち本体パイプ４８と一体に回転運動するようになっている。
【００５２】
固定弁体９６には、図５及び図６に示しているように周方向に１８０°隔たった２位置において固定弁体９６を軸方向に貫通する扇形状の一対の通水孔１０８が形成されている。
また一方可動弁体９８には、同じく周方向に１８０°隔った２位置において扇形状の一対の第１通水孔（ヘッド部側通水孔）１１０が設けられており、またこれらとは９０°づつ隔った２位置において扇形状の一対の第２通水孔（吐水口側通水孔）１１２が形成されている。
【００５３】
ここで第１通水孔１１０は、蛇口１４からの水を本体パイプ４８側、即ちヘッド部５２側に導くためのもので、図６に示しているように可動弁体９８の軸方向中間位置において外周面で開口している。
また第２通水孔１１２は、蛇口１４からの水を吐水口８６側に導くためのもので、図６に示しているように可動弁体９８を軸方向に貫通する形態で設けられている。
【００５４】
本例にあっては、図９（Ｉ）に示しているように吐水パイプ４６を蛇口１４に連結しない状態の下では、ハンドル３４の操作によって蛇口１４から下向きにストレート吐水を行うことができる。
一方、蛇口１４に吐水パイプ４６を連結した状態の下では、図９（II）に示しているように吐水パイプ４６を蛇口１４から、即ちカウンター１０の前端部から浴室内側に突き出すように位置させておくことで、更に切替操作部６２をミストシャワー孔５０側に切り替えておくことで、蛇口１４からの水をそれら多数のミストシャワー孔５０から浴室内に向けて且つ上方に向けて、ミストシャワーとして噴射することができる。
この状態の下では切替弁９４は流路をヘッド部５２側に切り替えた状態にあり、従って蛇口１４からの水はヘッド部５２側へと導かれてミストシャワー孔５０から噴射されるのである。
【００５５】
尚このとき、切替操作部６２をストレート吐水口５６側に切り替えておくことで、蛇口１４からの水がストレート吐水口５６からストレート吐水される。但しこのとき通常はストレート吐水口５６を下方に向けた状態で吐水することとなる。
【００５６】
一方図７（Ｉ）に示しているように、吐水パイプ４６を図７（II）に示すようにカウンター１０の前端部から突き出した状態から９０°回動させて、これをカウンター１０の前端部下側に位置させた状態で吐水を行うと、蛇口１４からの水は吐水パイプ４６における吐水口８６から下向きにストレート吐水される。
即ちこの例では、吐水パイプ４６を回動させるだけで切替弁９４を自動的に切替作動させ、ミストシャワー孔５０からのミストシャワーの噴射と吐水口８６からのストレート吐水とを切り替えることができる。
【００５７】
以上のような本例のミストシャワー装置によれば、単に吐水パイプ４６を蛇口１４に取り付けるだけで浴室内にミストシャワーを噴射することができる。
【００５８】
従って本例によれば、ミストシャワー専用の装置ユニットを室内に設置する場合のようにコストが高くなるといった問題を生じず、また浴室の上部のシャワーヘッドからミストシャワーを噴射する場合のように、シャワーホースの内圧によって可撓性のホースが曲り難くなり、またシャワーフックに掛止してあるシャワーヘッドが内圧によってシャワーフックから飛び出してしまうといった問題も生じない。
【００５９】
また本例によれば、蛇口１４に対して単に吐水パイプ４６を連結するだけでミストシャワー装置を構成し、室内にミストシャワーを噴射することができるため、必要でない場合にはその吐水パイプ４６を蛇口１４から外すことによって、通常の水栓を使用するようにその蛇口１４から吐水させることができる。
【００６０】
本例では吐水パイプ４６が図８（Ａ）に示しているように蛇口１４に対してその軸心回りに回動可能であるので、蛇口１４の軸心回りにミストシャワーの噴射位置を変化させることができる。
また図８（Ｂ）に示しているようにヘッド部５２を本体パイプ４８の軸心回りに回転可能となしてあるので、ミストシャワーの噴射の向きを様々に変化させることができる。
従って望みの位置且つ望みの方向にミストシャワーを噴射することができる。
尚、この例では図８（Ａ）に示しているように吐水パイプ４６をカウンター１０の前端部から突き出させた状態でこれを回動操作することにより、その回動角度の変化に応じてヘッド部５２からの吐水の水量調節を行うことができる。
【００６１】
本例では、カウンター１０から下向きに突き出す蛇口１４に対し吐水パイプ４６を連結するようになしているため、そのカウンター１０の下から、即ち浴室内の下方から上方に向けてミストシャワーを噴射することができる。
【００６２】
特にミストシャワー孔５０から浴室の室内暖房のため、或いは浴室をミストサウナ空間として利用するため高温のミストシャワーを噴射するようになした場合、噴射されたミストが従来と異なり浴室内の上部のみならず下部にも万遍なく漂う状態となり、室内暖房を効率的に行うことができる。或いは浴室内全体をミストの万遍なく漂ったミストサウナ空間となすことができる。
【００６３】
また本例によればミストシャワー孔５０から高温のミストシャワーを噴射して室内暖房等を行った後、吐水パイプ４６を蛇口１４から取り外して蛇口１４から吐水させたとき、たまたま残っていた高温の水が吐水されたとしてもそれが直接人体に当ってしまう危険が無く、安全である利点も得られる。
【００６４】
本例においては、ミストシャワーを噴射しないときに吐水パイプ４６をカウンター１０の下に収納可能となしてあるので、不使用時に吐水パイプ４６が室内に突き出した状態となって邪魔になるといった問題を回避することができる。
【００６５】
その他本例においてはヘッド部５２に塩素除去カートリッジ６６が内蔵してあるので、ミストシャワー孔５０からミストシャワーを噴射して浴室内に漂わせた場合、水道水中の塩素分が除去されているので浴室内にカルキ臭が漂うといった不都合を回避することができる。
【００６６】
また浴室においてミストシャワー孔５０から噴射したミストを顔面に当てるように使用する場合、即ち洗願等に使うような場合、水道水中の塩素分を除去することによって肌に優しいミストを噴射することができる。
【００６７】
本例においては、切替弁９４が吐水パイプ４６に内蔵してあるので、切替弁９４が外部に露出することによって蛇口１４周りの美観が損なわれるのを防止することができるとともに、吐水パイプ４６周りの外観もすっきりとしたものとなすことができる。
【００６８】
また本例においてはその切替弁９４が吐水パイプ４６の蛇口１４の軸心回りの回動により切替動作を行うことから、ミストシャワーを使用しない場合に吐水パイプ４６を収納側（引込み側）に回動操作するだけで、自動的に蛇口１４からの水の流れを吐水口８６側に切り替えることができる。
【００６９】
上記実施例では、吐水パイプ４６に吐水口８６と切替弁９４とを設けているが、図１０に示すようにそのような吐水口８６及び切替弁９４を設けない形態で吐水パイプ４６を構成し、連結部５４において蛇口１４に対し脱着可能に吐水パイプ４６を連結するようになすことも可能である。
【００７０】
また図１〜図９及び図１０の実施例では、ヘッド部５２に水道水から塩素を除去するための塩素除去カートリッジ６６を内蔵しているが、図１１に示しているようにそのような塩素除去カートリッジ６６を設けない形態でヘッド部５２を構成することも可能である。
【００７１】
また図１２に示しているように、脱着クリップ１１４の操作によってヘッド部５２を本体パイプ４８に対し脱着できるようにし、そしてヘッド部５２に設けた係止孔１１６においてこれを壁等に設けたフック１１８に掛止して保持できるように、かかるヘッド部５２を構成しておくことも可能である。
このようにしておいた場合、本体パイプ４８の先端部に種々形態のヘッド部５２を取り付けて使用できるようになる。
【００７２】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例であるミストシャワー装置をカウンターとともに示す図である。
【図２】  図１における混合部を周辺部とともに示す図である。
【図３】  図１における蛇口とその周辺部の内部構造を示す図である。
【図４】  図１における吐水パイプの内部構造を示す図である。
【図５】  図４の吐水パイプにおける基端部の構造を各部材に分解して示す図である。
【図６】  図４の切替弁の弁体の構成を示す図である。
【図７】  図１のミストシャワー装置の使用説明用の斜視図である。
【図８】  同じ実施例のミストシャワー装置の使用説明用の平面図，正面図及び側面図である。
【図９】  同じ実施例のミストシャワー装置における吐水パイプを蛇口への連結前と連結した後の状態で示す図である。
【図１０】  本発明の他の実施例の要部を示す図である。
【図１１】  本発明の更に他の実施例の要部を示す図である。
【図１２】  本発明の更に他の実施例の要部を示す図である。
【符号の説明】
１０  カウンター
１４  蛇口
４６  吐水パイプ
５０  ミストシャワー孔
５２  ヘッド部
５４  連結部
６６  塩素除去カートリッジ
６８  溝形成部材
７２Ａ，７２Ｂ  螺旋突条
７４Ａ，７４Ｂ  螺旋溝（水流加速機構）
７６  管体
８６  吐水口
９４  切替弁
９６  固定弁体
９８  可動弁体
１０８  通水孔
１１０  第１通水孔（ヘッド部側通水孔）
１１２  第２通水孔（吐水口側通水孔）
【図１】
0004203234.tif 000002
【図２】
0004203234.tif 000003
【図３】
0004203234.tif 000004
【図４】
0004203234.tif 000005
【図５】
0004203234.tif 000006
【図６】
0004203234.tif 000007
【図７】
0004203234.tif 000008
【図８】
0004203234.tif 000009
【図９】
0004203234.tif 000010
【図１０】
0004203234.tif 000011
【図１１】
0004203234.tif 000012
【図１２】
0004203234.tif 000013